(57)【要約】【課題】新規な航空機燃料氷捕獲フィルタデバイスハウジング、航空機燃料氷捕獲フィルタデバイス、及び使用方法を提供すること。【解決手段】本発明の航空機燃料氷捕獲フィルタデバイスハウジングは、燃料入口と、燃料出口と、燃料入口から航空機燃料の流れを受け入れ円筒形エレメントを備える主ハウジング本体と、複数の離隔氷捕獲フィルタを有する円筒形中空挿入物とを備える。各離隔氷捕獲フィルタは前端、後端、上壁、第１及び第２の側面、底開口部及び上壁を貫通する複数の開口を有し、各離隔氷捕獲フィルタの前端の上壁は、円筒形エレメントの内面から持ち上げられて開口部を形成し、燃料入口は、円筒形エレメント及び円筒形挿入物の周りに接線の方向に動く燃料流が得られるように構成され、円筒形挿入物は、多孔質航空機燃料フィルタエレメントを備える航空機燃料フィルタを受け入れるように構成される。【選択図】図１Ａ
2022002944.tif 000002
【特許請求の範囲】
【請求項１】
（ａ）航空機燃料入口と、
（ｂ）航空機燃料出口と、
（ｃ）前記航空機燃料入口から航空機燃料の流れを受け入れる主ハウジング本体であり、中心空洞、内面、外面、及び垂直軸線を有する円筒形エレメントを備える主ハウジング本体と、
（ｄ）前記主ハウジング本体の前記内面に接触する円筒形中空挿入物であり、複数の離隔氷捕獲フィルタを有する円筒形中空挿入物と
を具備する航空機燃料氷捕獲フィルタデバイスハウジングであって、
前記複数の離隔氷捕獲フィルタのそれぞれが前端、後端、上壁、第１の側面、第２の側面、底開口部、及び前記上壁を貫通する複数の開口を有し、前記複数の離隔氷捕獲フィルタのそれぞれの前記前端における前記上壁が、前記円筒形エレメントの前記内面からある距離だけ持ち上げられて、航空機燃料流に対して直角に配置された開口部を形成し、
前記航空機燃料入口が、前記円筒形エレメントの前記垂直軸線に対して略垂直に配置され、前記円筒形エレメントのまわりに接線の方向に動く航空機燃料流が得られるように構成され、
前記主ハウジング本体内の前記円筒形中空挿入物が、多孔質航空機燃料フィルタエレメントを備える航空機燃料フィルタを受け入れるように構成される、航空機燃料氷捕獲フィルタデバイスハウジング。
【請求項２】
前記複数の離隔氷捕獲フィルタのそれぞれが、前記第１の側面及び前記第２の側面を貫通する複数の開口を含む、請求項１に記載の航空機燃料氷捕獲フィルタデバイスハウジング。
【請求項３】
前記複数の離隔氷捕獲フィルタのそれぞれの前端における前記上壁が上向き角度付き縁を含む、請求項１又は２に記載の航空機燃料氷捕獲フィルタデバイスハウジング。
【請求項４】
請求項１〜３のいずれか一項に記載の航空機燃料氷捕獲フィルタデバイスハウジングと、
前記航空機燃料氷捕獲フィルタデバイスハウジング内に配置された多孔質航空機燃料フィルタエレメントを備える航空機燃料フィルタと
を具備する、航空機燃料氷捕獲フィルタデバイス。
【請求項５】
航空機燃料を濾過する方法であって、請求項４に記載の航空機燃料氷捕獲フィルタデバイスに航空機燃料を通すステップを含む、方法。
【請求項６】
前記航空機燃料が氷を含み、
当該方法が、前記複数の離隔氷捕獲フィルタにおいて氷を捕獲するステップと、航空機燃料の一部分が前記離隔氷捕獲フィルタを通過できるようにするステップとを含む、請求項５に記載の方法。
【請求項７】
溶けた氷を前記航空機燃料氷捕獲フィルタデバイスの前記出口に通すステップをさらに含む、請求項５又は６に記載の方法。
【発明の詳細な説明】
【発明の背景】
【０００１】
[0001]例えば湿気が航空機燃料タンク内に蓄積し、その湿気が、航空機の高度飛行などでタンクが低温状態に曝されることにより凍結する場合、航空機燃料中に氷が発生することがある。場合によっては、燃料中の氷（例えば、氷晶）の量が航空機燃料−オイル熱交換器を通る燃料の流れに影響を及ぼすことがあり、氷が詰まった場合にシステムが燃料を熱交換器のまわりで例えばバイパスしても、航空機燃料フィルタを通る流れに氷が影響を及ぼすおそれがあり、航空機エンジンへの燃料の量を計測する高感度の燃料制御器に入る氷が、航空機エンジンの動作を中断させたり悪影響を及ぼしたりする可能性がある。
【０００２】
[0002]航空機燃料から氷を取り除く燃料フィルタデバイスの改善が必要とされている。
【０００３】
[0003]本発明は、従来技術の不利点の少なくとも一部の改善を実現する。本発明の上記及びその他の利点は、下記の説明から明らかになろう。
【発明の概要】
【０００４】
[0004]本発明の一実施形態は、航空機燃料氷捕獲フィルタデバイスハウジングを提示し、この航空機燃料氷捕獲フィルタデバイスハウジングは、（ａ）航空機燃料入口と、（ｂ）航空機燃料出口と、（ｃ）航空機燃料入口から航空機燃料の流れを受け入れる主ハウジング本体であり、中心空洞、内面、外面、及び垂直軸線を有する円筒形エレメントを備える主ハウジング本体と、（ｄ）主ハウジング本体の内面に接触する円筒形中空挿入物であり、複数の離隔氷捕獲フィルタを有する円筒形中空挿入物とを具備し、複数の離隔氷捕獲フィルタのそれぞれが前端、後端、上壁、第１の側面、第２の側面、底開口部、及び上壁を貫通する複数の開口を有し、複数の離隔氷捕獲フィルタのそれぞれの前端における上壁は、円筒形エレメントの内面からある距離だけ持ち上げられて、航空機燃料流に対して直角に配置された開口部を形成し、航空機燃料入口は、円筒形エレメントの垂直軸線に対して略垂直に配置され、円筒形エレメント及び円筒形挿入物のまわりに接線の方向に動く航空機燃料流が得られるように構成され、主ハウジング本体内の円筒形挿入物は、多孔質航空機燃料フィルタエレメントを備える航空機燃料フィルタを受け入れるように構成される。
【０００５】
[0005]本発明の一実施形態による航空機燃料氷捕獲フィルタデバイスは、一実施形態の航空機燃料氷捕獲フィルタデバイスハウジングを備え、この航空機燃料入口及び航空機燃料出口は、航空機燃料氷捕獲フィルタデバイスハウジングを通り抜ける燃料流路を画定し、航空機燃料氷捕獲フィルタデバイスは、燃料流路を横切ってハウジング内に配置された多孔質航空機燃料フィルタエレメントを備える航空機燃料フィルタをさらに具備する。
【０００６】
[0006]本発明の別の実施形態によれば、航空機燃料を濾過する方法が提供され、この方法は、航空機燃料を一実施形態の航空機燃料氷捕獲フィルタデバイスに通すことを含み、航空機燃料の一部分が複数の離隔氷捕獲フィルタの開口を通過する。
【０００７】
[0007]この方法の好ましい一実施形態では、航空機燃料が氷を含み、この方法は、複数の離隔氷捕獲フィルタの氷を捕獲することを含む。
【図面の簡単な説明】
【０００８】
【図１Ａ】航空機燃料入口と、本発明の一実施形態による複数の離隔氷捕獲フィルタを備える円筒挿入物とを含む例示的な航空機燃料氷捕獲デバイスハウジング本体（トップカバーが取り除かれている）の上方からの斜視図であり、航空機燃料入口流のための円筒形エレメントの切り欠きと位置合わせされた挿入物の切り欠きも示す。
【図１Ｂ】円筒形挿入物がない例示的な航空機燃料氷捕獲デバイスハウジング本体の上方からの斜視図である。
【図２Ａ】複数の離隔氷捕獲フィルタを備えた挿入物（円筒を形成するように丸められている）の上方からの斜視図であり、航空機燃料入口流のための切り欠きも示す。
【図２Ｂ】図２Ａに示された、丸められた挿入物の上面図である。
【図３Ａ】本発明の一実施形態による個別氷フィルタの上面図である。
【図３Ｂ】本発明の一実施形態による個別氷フィルタの、図３Ａの線Ｂ−Ｂに沿った断面図であり、前方上向き角度付き縁も示す。
【図３Ｃ】本発明の一実施形態による個別氷フィルタの斜視図である。
【図３Ｄ】本発明の一実施形態による個別氷フィルタの底面図である。
【図４Ａ】ハウジング及び航空機燃料フィルタを備える、組み立てられた航空機燃料氷捕獲デバイスの斜視図であり、航空機燃料氷捕獲デバイスのハウジングトップカバー、航空機燃料入口、航空機燃料出口、及びフィルタの一部分を示す。
【図４Ｂ】デバイスの上方からの斜視図を示す図である。
【図４Ｃ】デバイスの上面図を示す図である。
【図４Ｄ】デバイスの、図４Ｃの線Ａ−Ａに沿った断面図を示す図であり、中空円筒形航空機燃料フィルタも示す。
【図４Ｅ】デバイスの、図４Ｄの線Ｃ−Ｃに沿った断面図を示す図であり、中空円筒形航空機燃料フィルタがひだ付きフィルタである、も示す。
【図４Ｆ】ひだ付きフィルタの部分的破断図であり、内部コア及び外部包みも示す。
【図５Ａ】別の航空機燃料氷捕獲デバイスの外側の図であり、航空機燃料入口及び航空機燃料出口も示す斜視図である。
【図５Ｂ】別の航空機燃料氷捕獲デバイスの外側の図であり、航空機燃料入口及び航空機燃料出口も示す正面図である。
【図５Ｃ】別の航空機燃料氷捕獲デバイスの外側の図であり、航空機燃料入口及び航空機燃料出口も示す底面図である。
【図６】複数の離隔氷捕獲フィルタによって捕獲された氷を示す、試験された航空機燃料氷捕獲挿入物の写真である。
【発明を実施するための形態】
【０００９】
[0014]本発明の一実施形態は、航空機燃料氷捕獲フィルタデバイスハウジングを提示し、この航空機燃料氷捕獲フィルタデバイスハウジングは、（ａ）航空機燃料入口と、（ｂ）航空機燃料出口と、（ｃ）航空機燃料入口から航空機燃料の流れを受け入れる主ハウジング本体であり、中心空洞、内面、外面、及び垂直軸線を有する円筒形エレメントを備える主ハウジング本体と、（ｄ）主ハウジング本体の内面に接触する円筒形中空挿入物であり、複数の離隔氷捕獲フィルタを有する円筒形中空挿入物とを備え、複数の離隔氷捕獲フィルタのそれぞれが前端、後端、上壁、第１の側面、第２の側面、底開口部、及び上壁を貫通する複数の開口を有し、複数の離隔氷捕獲フィルタのそれぞれの前端における上壁は、円筒形エレメントの内面からある距離だけ持ち上げられて、航空機燃料流に対して直角に配置された開口部を形成し、航空機燃料入口は、円筒形エレメントの垂直軸線に対して略垂直に配置され、円筒形エレメント及び円筒形挿入物のまわりに接線の方向に動く航空機燃料流が得られるように構成され、主ハウジング本体内の円筒形挿入物は、多孔質航空機燃料フィルタエレメントを備える航空機燃料フィルタを受け入れるように構成される。
【００１０】
[0015]本発明の一実施形態による航空機燃料氷捕獲フィルタデバイスは、一実施形態の航空機燃料氷捕獲フィルタデバイスハウジングを備え、この航空機燃料入口及び航空機燃料出口は、航空機燃料氷捕獲フィルタデバイスハウジングを通り抜ける燃料流路を画定し、航空機燃料氷捕獲フィルタデバイスは、燃料流路を横切ってハウジング内に配置された多孔質航空機燃料フィルタエレメントを備える航空機燃料フィルタをさらに具備する。
【００１１】
[0016]本発明の一実施形態は、航空機燃料氷捕獲フィルタデバイスハウジングを備える航空機燃料氷捕獲フィルタデバイスを提示し、この航空機燃料氷捕獲フィルタデバイスハウジングは、（ａ）航空機燃料入口と、（ｂ）航空機燃料出口と、（ｃ）航空機燃料入口から航空機燃料の流れを受け入れる主ハウジング本体であり、中心空洞を有する円筒形エレメント、内面、外面、及び垂直軸線を備える主ハウジング本体と、（ｄ）主ハウジング本体の内面に接触する円筒形中空挿入物であり、複数の離隔氷捕獲フィルタを有する円筒形中空挿入物とを具備し、複数の離隔氷捕獲フィルタのそれぞれが前端、後端、上壁、第１の側面、第２の側面、底開口部、及び上壁を貫通する複数の開口を有し、複数の離隔氷捕獲フィルタのそれぞれの前端における上壁は、円筒形エレメントの内面からある距離だけ持ち上げられて、航空機燃料流に対して直角に配置された開口部を形成し、航空機燃料入口は、円筒形エレメントの垂直軸線に対して略垂直に配置され、円筒形エレメント及び円筒形中空挿入物のまわりに接線の方向に動く航空機燃料流が得られるように構成され、円筒形エレメント内の円筒形中空挿入物は、多孔質航空機燃料フィルタエレメントを備える航空機燃料フィルタを受け入れるように構成され、航空機燃料氷捕獲フィルタデバイスハウジングはさらに、ハウジング内に配置された多孔質航空機燃料フィルタエレメントを備える航空機燃料フィルタを具備する。
【００１２】
[0017]本発明の別の実施形態によれば、航空機燃料を濾過する方法が提供され、この方法は、航空機燃料を一実施形態の航空機燃料氷捕獲フィルタデバイスに通すことを含み、航空機燃料の一部分が複数の離隔氷捕獲フィルタの開口を通過する。
【００１３】
[0018]この方法の好ましい一実施形態では、航空機燃料が氷を含み、この方法は、複数の離隔氷捕獲フィルタの氷を捕獲することを含む。
【００１４】
[0019]この方法のいくつかの実施形態では、この方法はさらに、溶けた氷を航空機燃料氷捕獲フィルタデバイスの出口に通すことを含む。
【００１５】
[0020]フィルタは氷保持能力が得られるように設計されなくてもよいので、小型のフィルタ及びフィルタデバイスを利用することができ、そのため、フットプリントの低減及び重量の低減が実現することが有利である。
【００１６】
[0021]本発明によるフィルタ及びフィルタデバイスは、全水が２８８ｐｐｍにおける水濃度試験「緊急システム動作」、及び８５±５°Ｆにおける水飽和を超える２ｃｃ／ガロンである水濃度試験「バイパス機能動作付きフィルタ」が含まれる、現在の業界標準Ａｉｒｃｒａｆｔ  Ｆｕｅｌ  Ｓｙｓｔｅｍ  ａｎｄ  Ｃｏｍｐｏｎｅｎｔ  Ｉｃｉｎｇ  Ｔｅｓｔ  ＳＡＥ  ＡＲＰ１４０１Ｂ（２０１２年６月６日）を含む複数の条件下で、氷を捕獲する。
【００１７】
[0022]次に、本発明の構成要素のそれぞれについて以下でより詳細に説明する。同様の構成要素は同様の参照番号を有する。
【００１８】
[0023]図１Ａは、航空機燃料入口１と、航空機燃料出口２と、主ハウジング本体１０と、主ハウジング本体の中に配置された、複数の離隔氷捕獲フィルタ１００を備える円筒形挿入物２０とを含む（図１Ｂは、円筒形挿入物がない主ハウジング本体を示す）、航空機燃料氷捕獲フィルタデバイスハウジング１０００の一実施形態を示す。主ハウジングは、航空機燃料入口からの航空機燃料の流れを受け入れるように構成され、主ハウジング本体（又はボウル）１０は、中心空洞１１，内面１２、外面１３及び垂直軸線Ａ−Ａを有する円筒形エレメントを備える。図１Ａに示されるように、複数の離隔氷捕獲フィルタを備えた円筒形中空挿入物２０は、中心空洞２１、挿入物内面２２、及び外面２３を有し、挿入物の外面２３は円筒形エレメントの内面１２と接触し、この挿入物は、入ってくる航空機燃料のための切り欠き２５を含む（より詳細に図２Ａに示す)。
【００１９】
[0024]以下で図２Ａ及び図３Ｃに関してより詳細に論じるように、挿入物は、内面２２及び外面２３を貫通する離隔切り欠き１０１を含み、離隔切り欠き１０１と、主ハウジング本体１０の内面１２の露出付随部分とは、氷捕獲ポケット１０２が形成されるように氷捕獲フィルタ１００の基礎になる。
【００２０】
[0025]航空機燃料入口１（内面１２を貫通する穴を形成する切り欠きを含み、この切り欠きは、円筒形中空挿入物の切り欠き２５と位置合わせされている）は、円筒形エレメントの垂直軸線に対して略垂直に配置され、円筒形中空挿入物／円筒形エレメントの内面のまわりに接線の方向に動く航空機燃料流が得られるように構成され、この円筒形エレメント及び収容された円筒形中空挿入物は、多孔質航空機燃料フィルタエレメント２０１を備える航空機燃料フィルタ２００を受け入れて航空機燃料氷捕獲デバイス２０００を形成するように構成される（図４Ｄ及び図４Ｅ参照）。
【００２１】
[0026]いくつかの実施形態では、航空機燃料入口１は、接線方向にある燃料入口内径が約２インチの場合に、円筒形中空挿入物／円筒形エレメントのまわりに接線方向に動く少なくとも約０．５５ｍ／ｓの航空機燃料流が得られるように構成される。当業者には理解されるように、小型の航空機エンジンは一般に燃料流量が少なく、システムのサイズ及び重量を最小限にするために入口直径が減少することになる。入口の接線方向に動く流れが高速度燃料回転を与えて、航空機燃料を円筒形エレメントの内面１２及び円筒形中空挿入物の内面２２に強制的に向けることが有利である。氷及び水は航空機燃料よりも密度が高いので、入口で接線方向に動く流れが航空機燃料からの氷／水の遠心分離を可能にする。
【００２２】
[0027]図３Ａ〜３Ｄに示されるように、複数の離隔氷捕獲フィルタ１００のそれぞれは、主ハウジング本体の内面に配置されており、各氷フィルタは、前端１０５、後端１０６、上壁１０７、第１の側面１０８Ａ、第２の側面１０８Ｂ、及び底開口部（切り欠き１０１）、並びに少なくとも上壁を貫通する複数の開口１１０を有し（これらの図では、開口は後端並びに第１及び第２の側面も貫通している）、離隔氷捕獲フィルタのそれぞれの前端における上壁の面は、主ハウジング本体１０の内面１２からある距離だけ持ち上げられて、入ってくる航空機燃料流に対して直角に配置された開口部１０２Ａを形成する。
【００２３】
[0028]個別氷捕獲フィルタは、約０．２１インチ（約５．３ｍｍ）の最小長さ（前端１０５から後端１０６まで）、約０．２１インチ（約５．３ｍｍ）の最小高さ（面１２から上壁１０７の前端１０５まで）、約０．２２インチ（約５．６ｍｍ）の最小幅（第１の側面１０８Ａから第２の側面１０８Ｂまで）を有することが好ましい。通常、開口部１０２Ａは少なくとも約０．２０インチ（約５ｍｍ）である。
【００２４】
[0029]個別氷捕獲フィルタ同士は離隔される。その結果、流れはハウジングに入り、氷捕獲がある領域と氷捕獲がない領域に分割される。氷捕獲デバイスがない領域では、流れが円筒形中空挿入物／円筒形エレメントの内側で接線方向に動いて回転するので、速度の変化が低減される。ハウジングの上部で氷捕獲フィルタ同士の間隔を離して配置すると、燃料流を遮ることがある氷捕獲フィルタ間の氷橋絡も回避される（図６参照、試験ハウジング内で使用後の航空機燃料フィルタ挿入物を示しており、氷橋絡が氷捕獲フィルタ間に見えない）。
【００２５】
[0030]個別氷捕獲フィルタは、航空機燃料フィルタが円筒形エレメントＩＤと同心であると仮定すれば、航空機燃料フィルタ外径（ＯＤ）と円筒形エレメント内径（ＩＤ）の間の所定の隙間Ｇ（図３Ｅ参照）に基づく最大高さを有することが好ましい。例示として、円筒形エレメントＩＤが４インチ（約１０２ｍｍ）であり、航空機燃料フィルタＯＤが３．５インチ（約８９ｍｍ）であるならば、最大氷フィルタ高さは、干渉を防止するために約０．２５インチ（約６ｍｍ）でなければならない。
【００２６】
[0031]各氷フィルタに開口１１０が存在すると、航空機燃料入口１のよどみ圧が最小になる。図２Ａ及び図３Ｃでは、開口が環状の形で、平行な水平列に配置されているように示されているが、開口は別の形を有すること、及び別の形態で配置することもできる。例えば、開口は楕円の形とすることができ、その楕円が垂直若しくは水平に、又はある角度に配置されている。個々の開口は、前端から後端まで、又は第１の側面から第２の側面まで延びることができる。フィルタは、複数の形の複数の組み合わせによる開口を有することができる。通常、個々の開口は、最大直径が０．１２５インチ（約３．２ｍｍ）であり、好ましくは、小さい直径が約０．０１０インチ（約０．３ｍｍ）である。個々の開口の深さは通常、挿入物シートの厚さに等しく、例えば、約０．０１インチ（約０．３ｍｍ）〜約０．０４インチ（約１ｍｍ）の範囲にある。
【００２７】
[0032]いくつかの実施形態では、図３Ｂ及び図３Ｃに示すように、個々の氷捕獲フィルタは前端１０５に、前方上向き角度付き縁１０５Ａを有する。氷フィルタが前方上向き角度付き縁を有するこれらの実施形態では、縁は通常、上壁の非角度付き部分によって画定された水平軸線から約５°〜約４５°の範囲の角度で配置される。特定の理論に束縛されるものではないが、縁は、氷捕獲の確率を高めながら、氷フィルタを通る氷の流速の維持を補助することができる。
【００２８】
[0033]航空機燃料フィルタ２００及び航空機燃料フィルタエレメント２０１は、任意の適切な孔構造を有することができ、例えば、孔寸法（例えば、泡立ち点によって、若しくは例えば米国特許第４，３４０，４７９号に記載のＫＬによって明示される、又は毛管凝縮フローポロメトリによって明示される）、孔レーティング、孔直径（例えば米国特許第４，９２５，５７２号に記載の修正ＯＳＵ  Ｆ２試験を用いて、例えば特性が示される場合）、又は、流体がエレメントを通過するときに１つ又は複数の対象の材料が通過するのを低減又は可能にする除去レーティングを有することができる。
【００２９】
[0034]航空機燃料フィルタは、追加のエレメント、層、又は構成要素を含むことができ、これらは、異なる構造及び／又は機能を有すること、例えば次のもの、すなわち事前濾過、支持、排水、間隔確保、及び緩衝のうち少なくとも１つ又は１つ以上を有することができる。例示として、航空機燃料フィルタは、コア、メッシュ及び／又はスクリーンなどの少なくとも１つの追加のエレメントを含むこともできる。図４Ｆに示された実施形態では、フィルタは内部コア及び外部包みを有する。
【００３０】
[0035]本発明の諸実施形態によれば、航空機燃料フィルタは、少なくとも１つの多孔質航空機燃料フィルタエレメントを備える。この航空機燃料フィルタエレメントは通常、繊維性メディアを備える。航空機燃料フィルタ及び／又は航空機燃料フィルタエレメントには、ひだ付き及び中空円筒形を含む様々な形態があり得る。１つの好ましい実施形態では、図４Ｄ〜４Ｆに示されるように、航空機燃料フィルタは中空円筒形のひだ付き形態を有する。
【００３１】
[0036]入口及び出口、並びに挿入物及び航空機燃料フィルタ用の空洞を形成する、適切な形状の任意のハウジングが使用され得る。図４Ａ、４Ｂ、及び図５Ａ〜５Ｃは、様々な例示的ハウジングを示す。
【００３２】
[0037]ハウジングのそれぞれは、図１Ｂに示された実施形態に関して説明したように、航空機燃料入口と、航空機燃料出口と、複数の離隔氷捕獲フィルタを備える円筒形挿入物を受け入れるのに適している中心空洞がある円筒形エレメントを備える主ハウジング本体とを有し（例えば、図２Ａに関して上述したように）、航空機燃料入口は、円筒形エレメントの垂直軸線に対して略垂直に配置され、中空円筒形エレメント／円筒形エレメントの内面のまわりに接線の方向に動く航空機燃料流が得られるように構成され、多孔質航空機燃料フィルタエレメントを備える航空機燃料フィルタが、ハウジングの中で挿入物内に配置され得る。
【００３３】
[0038]図４Ａ〜４Ｆを参照のために用いると、航空機燃料フィルタ２００は、航空機燃料氷捕獲デバイスハウジング１０００において挿入物２０の空洞２１の中に配置され、ハウジング１０００は、入口１及び出口２を備え、入口と出口の間の航空機燃料流量を画定し、航空機燃料フィルタ２００は、航空機燃料流路を横切って、航空機燃料氷フィルタデバイス２０００を形成する。
【００３４】
[0039]ハウジング及び挿入物は、濾過される航空機燃料との適合性がある任意の適切な剛性の不浸透性材料（例えば、一般的な航空宇宙金属及びポリマー）から製作することができる。例えばハウジングは、アルミニウム、マグネシウム、ステンレス鋼などの金属又は金属合金から、又は金属を含む複合材料から製作することができる。必要に応じて、ハウジングは例えば、ビレット、鋳造、鍛造、付加製造、押し出し、及び光重合によって製造することができる。
【００３５】
[0040]例えば、ハウジングはモノリシックとし、付加製造（場合により「付加層製造」又は「３Ｄ印刷」と呼ばれる)によって製造し、通常は、活性化可能結合剤と結合された金属粉末の繰り返し堆積（例えば、結合剤噴射、場合により「ドロップオンパウダ」と呼ばれる）によって形成することができ、通常は、例えば焼結によって粉末を塊にすることが後に続く。他の適切な方法には、押し出し（例えば、ペースト押し出し、溶融フィラメント製作及び溶融堆積モデリング）、並びに光重合（例えば、光造形装置（ＳＬＡ）及びデジタル光処理（ＤＬＰ））が含まれる。
【００３６】
[0041]任意の適切な付加製造機器を使用することができ、様々な生産３Ｄプリンタが適しており、市販されている。
【００３７】
[0042]以下の例は本発明をさらに例示するが、当然、本発明の範囲を何らか限定するものと解釈されるべきではない。
【実施例】
【００３８】
[0043]この実施例では、本発明の一実施形態による試験ハウジング内に航空機燃料氷捕獲挿入物を使用して氷を捕獲することを実証する。
【００３９】
[0044]図２Ａに全体的に示された航空機燃料氷捕獲挿入物が透明な試験ハウジングに入れられ、この試験ハウジングは、氷フィルタ開口部の方向に遠心力及び流れベクトルを生成するために超高分子量のポリウレタンから作られた、螺旋溝付き螺旋ノーズコーンを収容する。挿入物は、０．０３２インチ（約０．８ｍｍ）の厚さを有するアルミニウム６０６１のシートであり、０．０３２インチ（約０．８ｍｍ）の開口直径が、０．０７４インチ（約１．９ｍｍ）の交互の孔パターンの形でシート上に間隔をおいて配置され、中心間で０．０７４インチ（約１．９ｍｍ）の間隔があけられている。
【００４０】
[0045]試験ハウジングには、氷を含まない航空機燃料が入れられる。氷を含む２７〜３３°Ｆの温度の航空機燃料が試験デバイスに８ＧＰＭの流速で通され、燃料は、ノーズコーン螺旋溝を進むことによって急速に加速する（螺旋溝が燃料流の回転を与える）。試験中、試験ハウジングは、氷捕獲が重力の効果だけに起因しないことを確実にするために、垂線から４５°に傾けられている。
【００４１】
[0046]透明の試験ハウジングを通して見たとき、氷は氷捕獲フィルタによって均一に捕獲されている。図６に示されるように、氷が捕獲されており、氷捕獲フィルタ間には氷橋絡がない。
【００４２】
[0047]出版物、特許申請書、及び特許を含む、本明細書で引用されたすべての参照文献は、あたかも各参照文献が参照によって組み込まれるように個々に明確に示されたかのように、その全体が本明細書に示されたのと同じ程度に参照によって本明細書に組み込まれる。
【００４３】
[0048]本発明を説明する文脈における(特に添付の特許請求の範囲の文脈における)、用語の「１つの（a）」及び「１つの（an）」、並びに「その」及び「少なくとも１つの」及び同様の指示対象の使用は、本明細書で特に指示がない限り、又は文脈によって明らかに矛盾しない限り、単数形も複数形も包含するものと解釈される。１つ又は複数の項目のリストが後に続く用語の「少なくとも１つの」（例えば、「Ａ及びＢのうちの少なくとも１つ」）の使用は、本明細書で特に指示がない限り、又は文脈によって明らかに矛盾しない限り、列記された項目（Ａ又はＢ）から選択された１つの項目、又は列記された項目（Ａ又はＢ）のうちの２つ以上の任意の組み合わせを意味するものと解釈される。用語の「備える」、「有する」、「含む」、及び「包含する」は、特にことわらない限り、制限のない用語（すなわち、「含むが限定されない」を意味する）として解釈されるべきである。本明細書の値の範囲の記述は、特にことわらない限り、その範囲に入るそれぞれの別個の値を個々に参照する簡略な方法として機能するものにすぎず、それぞれの別個の値は、あたかもそれが本明細書で個々に記述されたかのように本明細書に組み込まれる。本明細書に記載のすべての方法は、本明細書で特に指示がない限り、又はそれとは別に文脈によって明らかに矛盾しない限り、任意の適切な順序で実行することができる。本明細書で提示される、いずれか及びすべての例、又は例示的な言語（例えば、「などの」）の使用は、本発明をより明確にするものにすぎず、特にことわらない限り、本発明の範囲を限定しない。本明細書の言語は、どの非特許請求要素も本発明の実践に不可欠とは示していないと解釈されるべきである。
【００４４】
[0049]本発明の好ましい実施形態が本明細書に、本発明を実践するための本発明者に知られているベストモードを含めて記載されている。これらの好ましい実施形態の変形形態が、当業者には上記の説明を読めば明らかになろう。本発明者らは、当業者がこのような変形形態を適宜に用いることを予測し、また本発明者らは、本明細書に明確に記載されたものとは別の方法で本発明が実践されることを意図している。したがって、本発明は、添付の特許請求の範囲に記述された主題のすべての修正形態及び等価物を、適用法令によって許されるものとして含む。さらに、本明細書に別に示されていない限り、又はそれとは別に文脈によって明らかに矛盾しない限り、上述の要素の任意の組み合わせが、そのすべての可能な変形形態として本発明に包含される。
【符号の説明】
【００４５】
１  航空機燃料入口
２  航空機燃料出口
１０  主ハウジング本体（又はボウル）
１１  中心空洞
１２  内面
１３  外面
２０  円筒形挿入物、円筒形中空挿入物
２１  中心空洞
２２  挿入物内面
２３  外面
２５  切り欠き
１００  離隔氷捕獲フィルタ
１０１  離隔切り欠き
１０２  氷捕獲ポケット
１０５  前端
１０５Ａ  縁
１０６  後端
１０７  上壁
１０８Ａ  第１の側面
１０８Ｂ  第２の側面
１１０  開口
２００  航空機燃料フィルタ
２０１  多孔質航空機燃料フィルタエレメント
１０００  航空機燃料氷捕獲フィルタデバイスハウジング
２０００  航空機燃料氷捕獲デバイス
Ｇ  隙間
【図１Ａ】
2022002944.tif 000003
【図１Ｂ】
2022002944.tif 000004
【図２Ａ】
2022002944.tif 000005
【図２Ｂ】
2022002944.tif 000006
【図３Ａ】
2022002944.tif 000007
【図３Ｂ】
2022002944.tif 000008
【図３Ｃ】
2022002944.tif 000009
【図３Ｄ】
2022002944.tif 000010
【図４Ａ】
2022002944.tif 000011
【図４Ｂ】
2022002944.tif 000012
【図４Ｃ】
2022002944.tif 000013
【図４Ｄ】
2022002944.tif 000014
【図４Ｅ】
2022002944.tif 000015
【図４Ｆ】
2022002944.tif 000016
【図５Ａ】
2022002944.tif 000017
【図５Ｂ】
2022002944.tif 000018
【図５Ｃ】
2022002944.tif 000019
【図６】
2022002944.tif 000020
【外国語明細書】
2022002944000001.pdf